(57)【特許請求の範囲】
【請求項１】
通信網を介して接続された端末と情報のやりとりを行うファクシミリ装置であって、
前記端末の閲覧手段から、自装置のシステム設定変更要求を受ける通信制御手段と、
ユーザーごとにシステム設定の変更許可項目を登録し、また、変更されたシステム設定を登録する記憶手段と、
ユーザーからシステムの設定要求が複数あった場合、該設定要求のうち、前記記憶手段に設定され、該ユーザーに対応する設定変更許可項目についてはシステム設定を変更し、それ以外の項目については変更を行なわない制御手段とを備えたことを特徴とするファクシミリ装置。
【請求項２】
システム設定変更後に、変更されたシステム設定情報および変更を行なわなかった項目についての情報を前記端末に転送することを特徴とする請求項１記載のファクシミリ装置。
【発明の詳細な説明】
【０００１】
【発明の属する技術分野】
本発明は、ＬＡＮ接続機能及びＨＴＴＰの処理機能を搭載したファクシミリ装置に関する。
【０００２】
【従来の技術】
ファクシミリ装置のシステム設定、例えば、電話回線の形式（１０ＰＰＳ／２０ＰＰＳ／ＰＢ）の選択、読み出し回数の指定、通信レポート自動プリントの出力の有無、及び着信モード（電話、ＴＥＬ／ＦＡＸ、ＦＡＸ）等の項目についての設定を変更する場合、通常はファクシミリ装置の表示部、操作部を利用して行われる。また、システム設定の変更を、公衆電話回線を通じたパーソナルコンピュータなどの端末からの遠隔操作によって行うようにしたものもある。
【０００３】
【発明が解決しようとする課題】
しかし、ファクシミリ装置の表示部及び操作部を使用したシステム設定の変更では、視認性、操作性の点で問題がある。また、電話回線を通じたパーソナルコンピュータからの遠隔操作によってシステム設定の変更を行う場合、パーソナルコンピュータに遠隔操作を行うためのソフトウェアが必要になる。
【０００４】
このようなことから、特開平１１−８８５９１号公報に示すように、端末のＷＷＷブラウザからの通信回線を通じた遠隔操作によってファクシミリ装置のシステム設定を変更するようにしたものが知られている。
【０００５】
本発明はＬＡＮ接続を前提とし、端末のマウスあるいはキーボード操作により容易にシステム設定の変更を行うことが可能なファクシミリ装置を提供することを目的とする。
【０００６】
【課題を解決するための手段】
上記目的を達成するために、請求項１記載の発明は、通信網を介して接続された端末と情報のやりとりを行うファクシミリ装置であって、前記端末の閲覧手段から、自装置のシステム設定変更要求を受ける通信制御手段と、ユーザーごとにシステム設定の変更許可項目を登録し、また、変更されたシステム設定を登録する記憶手段とユーザーからシステムの設定要求が複数あった場合、該設定要求のうち、前記記憶手段に設定され、該ユーザーに対応する設定変更許可項目についてはシステム設定を変更し、それ以外の項目については変更を行なわない制御手段とを備えたことを特徴とするファクシミリ装置に関するものである。
【０００７】
また請求項２記載の発明は、システム設定変更後に、変更されたシステム設定情報および変更を行なわなかった項目についての情報を前記端末に転送することを特徴とする請求項１記載のファクシミリ装置に関するものである。
【０００９】
請求項１記載の発明において、ユーザーが閲覧手段によりファクシミリ装置へのシステム設定変更要求を行う（例えば、端末ディスプレイ上のＷＷＷブラウザに表示された設定項目及び設定値を見ながら、マウス／キーボード操作によりシステム設定の変更要求を行う）と、ファクシミリ装置側では、ＬＡＮインタフェースユニットを介する等して通信制御手段がこれを受け、例えばＨＴＭＬ変換手段では、ＨＴＭＬ形式のデータをファクシミリ側で解読可能な形式に変換してそのデータを制御手段に送り、制御手段は、設定変更許可項目について要求されたシステム設定変更を行ってその結果を記憶手段に記憶させる（登録）。
【００１０】
端末側での例えばＷＷＷブラウザでの設定時にユーザー名及びパスワードの入力を求め、ファクシミリ装置側では、記憶手段に、あらかじめ設定変更を許可するユーザーを登録しておき、制御手段は、登録したユーザーの場合のみ設定変更を許可する。
【００１１】
また、記憶手段に、ユーザーごとの設定可能項目を登録しておき、制御手段は、ユーザー名及びパスワード確認の際にこの情報を参照して設定可能項目のみ変更できるようにする。
【００１２】
【発明の実施の形態】
以下、本発明の実施の形態を図面に従って説明する。図１はＬＡＮシステムの構成図である。このシステムは、ＬＡＮ接続したファクシミリ装置１及び同じくＬＡＮ接続したパーソナルコンピュータ等の端末２により構成され、ファクシミリ装置１と端末２は、ＬＡＮ３を介して情報のやりとりを行う。
【００１３】
本実施形態では、端末２に搭載されたＷＷＷブラウザにファクシミリ装置１のシステム設定情報を表示するとともに、ＷＷＷブラウザにより設定変更も可能なものとする。
【００１４】
図２は本発明の実施の形態に係るファクシミリ装置の全体構成を示すブロック図である。本ファクシミリ装置１は、システム全体を制御する制御部１１と、読み取り画像、各種設定リスト等を記憶する記憶部１２と、ＣＣＤまたは密着センサ、ＡＤ変換部、画像処理部等で構成され、読み取りデータをデジタル信号として出力する読取部１３とを備える。
【００１５】
また本ファクシミリ装置１は、レーザユニットまたはサーマルプリントユニット等で構成され、紙に印字出力する印字部１４と、ファクシミリ通信制御部、画情報圧縮伸張（ＤＣＲ）部で構成され、ファクシミリ通信を司る通信制御部１５と、システム設定情報をＷＷＷブラウザで表示できるＨＴＭＬ言語形式に変換するＨＴＭＬ変換部１６とを備える。
【００１６】
また本ファクシミリ装置１は、番号入力キー、ファンクションキー等で構成され、データ入力を行う操作部１７と、ＬＣＤ、ランプ等で構成され、本体の状態、通信状態、受信文書の表示、警告等を表示する表示部１８と、網との接続を行う網制御ユニット１９と、ローカルエリアネットワーク（ＬＡＮ）との接続を制御するＬＡＮＩ／Ｆユニット２０とを備える。
【００１７】
図３は本発明のシステム設定変更（更新）の制御例を示すフローチャートである。端末２からシステム設定情報の要求があった場合は（Ｓ１でＹ）、設定情報をＨＴＭＬ変換部１６においてＨＴＭＬ形式に変換し（Ｓ２）、ＬＡＮＩ／Ｆユニット２０を介して端末２へ転送する（Ｓ３）。
【００１８】
端末２からシステム設定変更の要求があった場合は（Ｓ４でＹ）、ＬＡＮＩ／Ｆユニット２０を介して通信制御部１５がこれを受け、ＨＴＭＬ変換部１６でファクシミリ装置１が解読できる形式に変換し、制御部１１に送る。
【００１９】
制御部１１では、要求データに含まれているユーザー名、パスワードと記憶部１２にあらかじめ設定されている変更許可ユーザーを参照し（Ｓ５）、変更許可ユーザーでない場合は（Ｓ６でＮ）、変更手順を終了し、変更ユーザーである場合には（Ｓ６でＹ）、記憶部１２に設定されている設定変更許可項目を確認する（Ｓ７）。
【００２０】
そして、設定変更要求があった項目のうち、許可項目のみの設定を変更し（Ｓ８）、それ以外の項目については変更を行わない。最後に、変更後のシステム設定情報、変更を行わなかった項目についての情報をＨＴＭＬ変換部１６でＨＴＭＬ形式に変換し、通信制御部１５からＬＡＮＩ／Ｆユニット２０を介して端末２に転送する（Ｓ９）。図４にＷＷＷブラウザで表示する情報のフォーマット例を示す。
【００２１】
【発明の効果】
請求項１記載の発明によれば、例えば、ユーザーが端末ディスプレイ上のＷＷＷブラウザに表示された設定項目及び設定値を見ながら、マウス／キーボード操作によりシステム設定の変更を行うと、ファクシミリ装置側では、ＬＡＮインタフェースユニットを介して通信制御手段がこれを受け、ＨＴＭＬ変換手段では、ＨＴＭＬ形式のデータをファクシミリ側で解読可能な形式に変換してそのデータを制御手段に送り、制御手段は、要求されたシステム設定変更を行ってその結果を記憶手段に記憶させるようにする等して、システム設定変更時の操作性を向上させることができる。
【図面の簡単な説明】
【図１】ＬＡＮシステムの構成図である。
【図２】本発明の実施の形態に係るファクシミリ装置の全体構成を示すブロック図である。
【図３】本発明のシステム設定変更の制御例を示すフローチャートである。
【図４】ＷＷＷブラウザで表示する情報のフォーマット例を示す図である。
【符号の説明】
１１  制御部
１２  記憶部
１３  読取部
１４  印字部
１５  通信制御部
１６  ＨＴＭＬ変換部
１７  操作部
１８  表示部
１９  網制御ユニット
２０  ＬＡＮＩ／Ｆユニット
【図１】
0003831605.tif 000002
【図２】
0003831605.tif 000003
【図３】
0003831605.tif 000004
【図４】
0003831605.tif 000005